(57)【要約】【課題】  警報の種類毎に対応を分けることによって、効率良く監視及び故障復帰を行うことができる監視制御システムを提供する。【解決手段】  監視制御システムは、監視対象機器の異常情報を取得する異常情報取得手段と、異常情報の内予め定められた種別の異常情報を第１の所定時間経過後に優先順位の高い端末に監視対象機器の異常を通知する第１の異常情報通知手段と、第１の異常情報通知手段により端末に通知されてから第２の所定時間経過後に故障復帰されているか否かを判断する故障復帰判断手段と、故障復帰判断手段により故障復帰していないと判断されたとき、先に通知された端末の次に優先順位の高い端末に監視対象機器の異常を通知する第２の異常情報通知手段とを具備する。【選択図】  図１
2013080291.tif 000002
【特許請求の範囲】
【請求項１】
監視対象機器の異常を監視する監視制御システムにおいて、
監視対象機器の異常情報を取得する異常情報取得手段と、
前記異常情報の内予め定められた種別の異常情報を第１の所定時間経過後に優先順位の
高い端末に監視対象機器の異常を通知する第１の異常情報通知手段と、
前記第１の異常情報通知手段により端末に通知されてから第２の所定時間経過後に故障
復帰されているか否かを判断する故障復帰判断手段と、
前記故障復帰判断手段により故障復帰していないと判断されたとき、先に通知された端
末の次に優先順位の高い端末に監視対象機器の異常を通知する第２の異常情報通知手段と
を具備する監視制御システム。
【請求項２】
前記故障復帰判断手段により故障復帰していると判断されたとき、第１または第２の異
常情報通知手段により通知された端末に故障復帰情報を通知する故障復帰情報通知手段と
を具備した請求項１記載の監視制御システム。
【請求項３】
第１または第２の異常情報通知手段は、メールまたは電話にて通知する請求項１または
請求項２に記載の監視制御システム。
【請求項４】
第１または第２の異常情報通知手段は、重要度の高い異常情報については優先順位の高
い複数の端末に監視対象機器の異常を通知する請求項１乃至請求項３のいずれかに記載の
監視制御システム。
【発明の詳細な説明】
【技術分野】
【０００１】
本発明の実施形態は、異常発生情報を通知する監視制御システムに関する。
【背景技術】
【０００２】
監視制御システムでは、工場やプラント等に配設される監視対象機器から各種データを
取得し、異常や故障発生時に監視室にある監視端末に警報を上げ、異常表示を行っている
。
【０００３】
また、監視室に担当者が不在であるときにおいても異常発生を通知可能とするために、
異常発生を電子メール等で通知を行うシステムもある。
【先行技術文献】
【特許文献】
【０００４】
【特許文献１】特開２００２−１４９２３３号公報
【発明の概要】
【発明が解決しようとする課題】
【０００５】
従来の監視制御システムでは、監視室にいない担当者に対しても異常発生を通知するこ
とが可能となる。
【０００６】
しかしながら、異常が発生した対象機器がある現場に担当者がいた場合には、現場に向
かわなくて良い場合があり、不要なメールが送信されることがある。
【０００７】
そこで、警報の種類毎に対応を分けることによって、効率良く監視及び故障復帰を行う
ことができる監視制御システムを提供することを目的とする。
【課題を解決するための手段】
【０００８】
実施形態の監視制御システムは、監視対象機器の異常情報を取得する異常情報取得手段
と、異常情報の内予め定められた種別の異常情報を第１の所定時間経過後に優先順位の高
い端末に監視対象機器の異常を通知する第１の異常情報通知手段と、第１の異常情報通知
手段により端末に通知されてから第２の所定時間経過後に故障復帰されているか否かを判
断する故障復帰判断手段と、故障復帰判断手段により故障復帰していないと判断されたと
き、先に通知された端末の次に優先順位の高い端末に監視対象機器の異常を通知する第２
の異常情報通知手段とを具備する。
【図面の簡単な説明】
【０００９】
【図１】実施形態の監視制御システムの構成図。
【図２】実施形態の監視制御装置の動作を示すフローチャート。
【発明を実施するための形態】
【００１０】
以下、本発明の実施の形態について、図面を参照して説明する。
【００１１】
図１は、本発明の第１の実施形態の監視制御システムの構成図である。
【００１２】
監視制御システムは、工場やプラント等に配設される現場機器からの各種データを取得
して現場機器の異常や故障を監視する監視制御装置１と、監視制御装置１との間で情報の
送受信を行う端末２とを有する。
【００１３】
監視制御装置１は、現場機器３の各種データを現場盤４を介して取得する入出力手段１
１と、入出力手段１１からの現場機器３の各種データに基づき異常を監視すると共に異常
の通知を行う異常監視手段１２と、異常監視手段１２からの指示に基づき端末２に情報を
送信する情報送受信手段１３と、異常を含む各種データを表示する表示手段１４とを有す
る。
【００１４】
次に、監視制御装置１の動作について、図２の異常監視フローチャートを用いて説明す
る。
【００１５】
現場機器３にて異常が発生すると、入出力手段１１を介してその情報を取得する。（ス
テップ１）
異常監視手段１２は、現場機器３からの異常情報に基づいて、一定時間内に対応が必要
な異常であるか、即時対応が必要な異常であるか、対応が不要な異常であるかを警報の種
類に分別する。（ステップ２）ここで、一定時間内に対応が必要な異常とは、対応が必要
な異常であるが、現場に担当者がいれば現場盤４で報知された異常により確認でき、短期
間で故障復帰可能なものである。
【００１６】
一定時間内に対応が必要な異常であるときは、一定時間経過するまでカウントアップし
て（ステップ３）、一定時間が経過すると故障復帰しているか否かを確認して、故障復帰
していないときはステップ５に進み、故障復帰しているときはステップ９に進む。（ステ
ップ４）
ステップ５では、担当者へ異常が発生した旨の情報を情報送受信手段１３を介して、端
末２に通知する。このとき、通知を行う担当者が格納されたデータベースに基づき、優先
度の高い担当者の端末２に対して、通知を行う。
【００１７】
端末２に通知を行った後、規定時間経過するまでカウントアップして（ステップ６）、
規定時間が経過すると故障復帰しているか否かを判断して、故障復帰していないときはス
テップ５に戻り、次に優先度の高い担当者の端末に対して通知を行い、故障復帰している
ときはステップ８に進む。（ステップ７）
故障復帰しているときは、ステップ５にて通知を行った担当者の端末２に対して、故障
復帰の通知を行った後、処理を終了する。（ステップ８、ステップ９）
また、ステップ２において、即時対応が必要な異常であると判断されたときは、ステッ
プ５に進み、一定時間の経過を待つことなく端末２への通知以降の処理を実行する。
【００１８】
また、ステップ２において、対応が不要な異常であると判断されたときは、ステップ９
に進み、処理を終了する。尚、対応が不要な異常とは、軽微な異常であり一過的な異常で
ある可能性が高いものや表示手段１４を監視する担当者が対応可能なものである。
【００１９】
このように、警報の種類毎に予め設定された対応を行うことにより、効率よく監視及び
故障復帰を行うことができる。
【００２０】
特に、現場に人がいて即時対応可能なときなどは、無駄な異常通知を防止することがで
きる。また、端末に対して異常通知を行うことにより、監視室の担当者が不在のときにも
対応が必要な異常の見落としを防止することができる。更に、故障復帰したときには、通
知を行っていた端末に対して、故障復帰の情報を通知することにより、故障復帰の情報を
共有することができる。
【００２１】
本実施の形態において、監視制御装置１と端末２との情報の送受信は、メール通知でも
良いし、音声による電話通知でも良い。また、端末２は携帯電話のような携帯端末でも良
いし、固定電話のような固定端末でも良い。携帯端末は、担当者が携帯しているので、担
当者に直接通知することができるが、圏外などで受信できないことがあるので、携帯端末
以外に事務所などの固定端末を登録することによって、より確実に異常に対応することが
できる。
【００２２】
また、警報の種別については、異常のレベルに応じて細分化しても良く、それに応じて
端末への通知方法を変更しても良い。例えば、異常の重要度が高いものについては、複数
の端末２に対して通知を行うようにして、重要度が通常のものについては、重要度が高い
ものよりも少ない端末２に対して通知を行うようにしても良い。これにより重要度の高い
ものについては、より確実に異常に対応することができる。
【００２３】
更に、故障復帰の際に行った対応内容を記録してデータベースを作成して、端末２から
アクセス可能としても良い。これより、異常発生時の対応履歴を確認することが可能とな
り、対策等に役立てることができる。
【符号の説明】
【００２４】
１・・・監視制御装置
２・・・端末
３・・・現場機器
１１・・・入出力手段
１２・・・異常監視手段
１３・・・情報送受信手段
【図１】
2013080291.tif 000003
【図２】
2013080291.tif 000004